(57)【要約】【課題】  少なくとも二つのランプワイヤがプラスチックフレームから伸びるバックライトモジュールのランプワイヤ取付構造を提供する。【解決手段】  固定桟部１１０および嵌合部１３０を備え、接続部１２０により接続してその間にランプチャネルを形成する。接続部１２０はワイヤ固定孔１２２を有してランプワイヤ３１４の中の一つを固定する。ランプワイヤ３１４はランプワイヤチャネル１２４に通される。引留クランプ部１４０は嵌合部１３０から伸びてプラスチックフレーム２０から張り出す。引留クランプ部１４０および嵌合部１３０はランプチャネルに垂直に繋がったワイヤクリップ孔１４４と、ワイヤクリップ孔１４４に繋がったクランプ開口１４２を有して、ランプワイヤ３１２をワイヤクリップ孔１４４中に固定する。【選択図】  図１
2006004764.tif 000002
【特許請求の範囲】
【請求項１】
プラスチックフレームから伸びる少なくとも二つのランプワイヤを取付けるためのバックライトモジュールのランプワイヤ取付構造であって、
固定桟部、嵌合部、接続部および引留クランプ部を備え、
前記接続部が前記固定桟部と前記嵌合部とを接続し、第１のランプワイヤを通すランプワイヤチャネルが前記固定桟部と前記嵌合部との間に形成され、第２のランプワイヤが前記接続部に位置するワイヤ固定孔に通されて前記ランプワイヤチャネルに入り、前記接続部、前記固定桟部および前記嵌合部が前記プラスチックフレームの溝に設置され、
前記引留クランプ部が前記嵌合部に接続されて前記プラスチックフレームから伸出して、前記引留クランプ部および前記嵌合部がワイヤクリップ孔と前記ワイヤクリップ孔に繋がったクランプ開口を有し、前記ワイヤクリップ孔は前記ランプワイヤチャネルに垂直に接続されて前記第１および前記第２のランプワイヤを固定し、前記クランプ開口を使用して前記第１および第２のランプワイヤを前記ワイヤクリップ孔中へ取付けることを特徴とするバックライトモジュールのランプワイヤ取付構造。
【請求項２】
前記固定桟部が前記嵌合部よりも長いことを特徴とする請求項１記載のバックライトモジュールのランプワイヤ取付構造。
【請求項３】
前記嵌合部の一端は前記固定桟部の一端に対向しており、前記嵌合部のもう一方の一端が前記接続部に接続されることを特徴とする請求項１記載のバックライトモジュールのランプワイヤ取付構造。
【発明の詳細な説明】
【技術分野】
【０００１】
本発明は、液晶表示器（ＬＣＤ）に関し、特に液晶表示器におけるバックライトモジュールのランプワイヤ取付構造に関する。
【背景技術】
【０００２】
マルチメディアの急速な発展に伴い、娯楽機器に対するユーザの要求は特に高まってきている。従来、陰極線管（cathode ray tube：ＣＲＴ）型のディスプレイはモニターとして一般的に使用されていた。しかし、陰極線管は大型のため、マルチメディア技術の要求に合致しなかった。そして、最近では液晶表示器（ＬＣＤ）、プラズマディスプレイパネル（ＰＤＰ）およびフィールドエミッションディスプレイ（ＦＥＤ）などといった多くのフラットパネルディスプレイが開発されている。
【０００３】
これらの技術のうち液晶表示器（ＬＣＤ）は、ＣＲＴと異なり高品位表示の機能を有して平面式のため、フルカラー表示装置として表示器の分野において注目されている。一方、この液晶表示装置は小型で軽量なため、情報を表示する必要のあるあらゆる電気製品に使用することができる。例えば、液晶表示器は計算機、電子辞書、時計、携帯電話、ノートブック型コンピュータ、通信端末、表示板などに使用して情報を表示することができる。
【０００４】
従来のバックライト型ＬＣＤは前側にある液晶パネルおよび後側にあるバックライトモジュールから構成される。そのため、液晶膜を通過させるのに十分な高照度を提供して情報を示す大きなバックライトモジュールが必要であった。一般にバックライトの光源には蛍光ランプが使用され、光がバックライトフィルムを透過すると液晶パネルは均一な照明を得ることができる。
【０００５】
バックライトフィルムがプラスチックフレームに取付けられて、バックライトモジュール中に他の部材を固定する。ワイヤチャネルまたはワイヤホールが一般のバックライトモジュール中に設置されて、ランプワイヤは周辺回路に接続される。ランプワイヤはプラスチックフレームの隅から伸びる。しかし、ランプワイヤは従来、プラスチックフレームの隅から伸びるために、固定が困難となったり容易に破損が発生した。
【発明の開示】
【発明が解決しようとする課題】
【０００６】
本発明の主な目的は、ランプワイヤの取付けが困難なことから発生する不良品を減らすバックライトモジュールのランプワイヤ取付構造を提供することにある。
本発明のもう一つの目的は、ランプワイヤを固定して製品の収率を高め、使用者に優しい取付構造を有するバックライトモジュールのランプワイヤ取付構造を提供することにある。
【課題を解決するための手段】
【０００７】
本発明は、少なくとも二つのランプワイヤがプラスチックフレームから伸びるバックライトモジュールのランプワイヤ取付構造を提供する。この取付構造は固定桟部、嵌合部、接続部および引留クランプ部を備える。接続部は固定桟部と前記嵌合部とを接続し、第１のランプワイヤがその間を通るようにランプワイヤチャネルが形成される。接続部はワイヤ固定孔を有して第２のランプワイヤを固定し、ランプワイヤチャネルに入れる。固定桟部、嵌合部および接続部がプラスチックフレームの溝に設置される。嵌合部および引留クランプ部が一緒に接続されて、プラスチックフレームから伸出する。引留クランプ部および嵌合部はワイヤクリップ孔とワイヤクリップ孔に繋がったクランプ開口を有する。ワイヤクリップ孔はランプワイヤチャネルに垂直に接続されて第１のランプワイヤおよび第２のランプワイヤを固定する。クランプ開口を使用して第１のランプワイヤおよび第２のランプワイヤをワイヤクリップ孔中へ取付ける。
【０００８】
取付けるときは、第２のランプワイヤがワイヤ固定孔に圧入されてランプワイヤチャネルに入れられる。続いて、全体の取付装置がプラスチックフレーム中の対応する溝に設置されて第２のランプワイヤが固定される。続いて、第２のランプワイヤがクランプ開口を迂回してワイヤクリップ孔中に固定される。第１のランプワイヤは直接にランプワイヤチャネル中に設置される。同様に、第１のランプワイヤがクランプ開口を迂回してワイヤクリップ孔中に固定される。上述の取付方法は簡単なだけでなく、プラスチックフレームが損壊することを防止することもできる。
【発明の効果】
【０００９】
上述したように本発明はバックライトモジュールのランプワイヤ取付構造を提供する。この構造はプラスチックフレームから伸びたランプワイヤを固定することができるためランプワイヤが整然となる。また、ユーザはこれらのランプワイヤを容易にバックライトモジュール中へ取付けることができる。従って、これらのランプワイヤを固定する際にランプワイヤが引張られてプラスチックフレームが損壊する危険性を減らすことができる。
【発明を実施するための最良の形態】
【００１０】
本発明のバックライトモジュールは、ＬＣＤパネルの光源を提供する。蛍光ランプおよびバックライトフィルムはバックライトモジュールのプラスチックフレーム中へ一緒に取付けられる。バックライトモジュールのランプワイヤはプラスチックフレームから引き出されて周辺の電源回路に接続される。本発明はバックライトモジュールのランプワイヤの取付装置を提供して、プラスチックフレームから引き出される少なくとも二つのランプワイヤを取り付ける。この取付構造は、ランプワイヤの取付けが困難なことから発生する不良品の数を減らすことができる。
【００１１】
図１は、本発明の好適な一実施例による取付装置を示す斜視図である。図２Ａから図２Ｃは本発明の好適な一実施例による取付装置を示し、図２Ａは上面図、図２Ｂは側面図そして図２Ｃは正面図である。図１および図２Ａ〜２Ｃに示すように、本発明の取付装置１０は長い形状の固定桟部１１０を備える。接続部１２０は固定桟部１１０の中央から伸びて嵌合部１３０の一端に接続される。そして固定桟部１１０、接続部１２０および嵌合部１３０はЧ形状に形成される。固定桟部１１０は嵌合部１３０よりも長い。固定桟部１１０は接続部１２０により頭部および尾部に分けられる。嵌合部１３０の一端は固定桟部１１０に接続され、もう一方の一端は頭部に対向する位置にある。ランプワイヤチャネル１２４は固定桟部１１０と嵌合部１３０との間に形成される。ランプワイヤはバックライトモジュールのプラスチックフレームから引き出されて、ランプワイヤチャネルに通される。接続部１２０はアーチ状に形成される。アーチ状のワイヤ固定孔１２２は接続部１２０の底部に形成されて接続部１２０の両端部に接続される。ワイヤ固定孔１２２はランプワイヤを固定し、通過させてからランプワイヤチャネル１２４へ通す。
【００１２】
引留クランプ部１４０は嵌合部１３０から伸びる。バックライトモジュールを設置するとき、引留クランプ部１４０はプラスチックフレーム２０から延伸される。引留クランプ部１４０はプライヤの形状に似ている。そして、ワイヤクリップ孔１４４が引留クランプ部１４０と嵌合部１３０との中央に形成される。ワイヤクリップ孔１４４は垂直にランプワイヤチャネル１２４と繋がる。ワイヤクリップ孔１４４はランプワイヤチャネル１２４から出たランプワイヤを固定して通し、周囲回路と接続する。クランプ開口１４２はワイヤクリップ孔１４４の上面に位置してワイヤクリップ孔１４４に繋がる。クランプ開口１４２の幅はランプワイヤの直径よりも小さい。ランプワイヤを取付けるときは、ランプワイヤをワイヤクリップ孔１４４中へ圧入してクランプ開口１４２中に固定する。ワイヤクリップ孔１４４のサイズは必要なランプワイヤの数と関連があり、好適にはそこに通されるランプワイヤを完全に固定することができるサイズである。
【００１３】
図３は、本発明の好適な一実施例によるバックライトモジュール中に設置された取付装置を示す斜視図である。プラスチックフレーム２０から延伸された少なくとも二つのランプワイヤには、高電圧のランプワイヤ３１４および低電圧のランプワイヤ３１２が含まれる。二つのランプワイヤ３１２、３１４は、電気連結装置３２０に接続されて周辺回路に結合する。スリーブ３１６を使用して二つのランプワイヤ３１２、３１４を固定する。そして、プラスチックフレーム２０中の溝２１０を使用して取付装置１０を設置する。
【００１４】
ランプワイヤを設置するとき、先ず低電圧のランプワイヤ３１２がワイヤ固定孔１２２中に圧入され、続いて取付装置１０がプラスチックフレーム２０の溝２１０中に設置される。低電圧のランプワイヤ３１２は、接続部１２０のワイヤ固定孔１２２により固定される。取付装置１０を設置する前、両面粘着テープなどの粘着物を固定桟部１１０尾部の側面１１４中へ使用し、尾部を隣接するプラスチックフレーム２０のカバープレート２３０へ接着する。同様に、固定桟部１１０の底面１１２は、両面粘着テープなどの粘着物により、プラスチックフレーム２０かランプの反射カバーに接着される。低電圧のランプワイヤ３１２は、ワイヤ固定孔１２２を通してランプワイヤチャネル１２４に入れられる。高電圧のランプワイヤ３１４は、直接にランプワイヤチャネル１２４へ入れることもできる。これら二つのランプワイヤ３１２、３１４は、クランプ孔を通してワイヤクリップ孔１４４中へ圧入される。これら二つのランプワイヤ３１２、３１４は、ワイヤクリップ孔１４４によりプラスチックフレーム２０中へ密接に固定される。この取付方法は簡単なだけでなく、ランプワイヤが引張られてプラスチックフレームが損壊することを防止することもできる。
【００１５】
本発明では好適な実施形態を前述の通り開示したが、これらは決して本発明を限定するものではなく、当該技術を熟知するものなら誰でも、本発明の主旨と領域を脱しない範囲内で各種の変動や潤色を加えることができる。従って本発明の保護の範囲は、特許請求の範囲で指定した内容を基準とする。
【図面の簡単な説明】
【００１６】
【図１】本発明の好適な一実施例による取付装置を示す斜視図である。
【図２Ａ】本発明の好適な一実施例による取付装置を示す上面図である。
【図２Ｂ】本発明の好適な一実施例による取付装置を示す側面図である。
【図２Ｃ】本発明の好適な一実施例による取付装置を示す正面図である。
【図３】本発明の好適な一実施例による取付装置がバックライトモジュールに取り付けられた状態を示す斜視図である。
【符号の説明】
【００１７】
１０  取付装置、２０  プラスチックフレーム、１１０  固定桟部、１１２  底面、１１４  側面、１２０  接続部、１２２  ワイヤ固定孔、１２４  ランプワイヤチャネル、１３０  嵌合部、１４０  引留クランプ部、１４２  クランプ開口、１４４  ワイヤクリップ孔、２１０  溝、２３０  カバープレート、３１２、３１４  ランプワイヤ、３１６  スリーブ、３２０  電気連結装置
【図１】
2006004764.tif 000003
【図２Ａ】
2006004764.tif 000004
【図２Ｂ】
2006004764.tif 000005
【図２Ｃ】
2006004764.tif 000006
【図３】
2006004764.tif 000007
【外国語明細書】
2006004764.tif 000008
2006004764.tif 000009
2006004764.tif 000010
2006004764.tif 000011
2006004764.tif 000012
2006004764.tif 000013
2006004764.tif 000014
2006004764.tif 000015
2006004764.tif 000016
2006004764.tif 000017
2006004764.tif 000018
2006004764.tif 000019
2006004764.tif 000020
2006004764.tif 000021
2006004764.tif 000022
2006004764.tif 000023